(57)【要約】【課題】本発明は、名刺等のシート体による顧客管理が容易であり、常に最新の情報を入力でき、しかも２次元コードの名刺等のシート体への添付簡易である２次元コードを用いた情報提供システムを提供することを課題とする。【解決する手段】所定サイトへのアクセスを行うためのアドレス、又は／及び所定の情報を読み取るための２次元コードを判子状に形成することで、名刺等のシート体に捺印して２次元コードによる所望の情報を提供することを特徴としている２次元コードを用いた情報提供システムである。【選択図】図１
2010027008.tif 000002
【特許請求の範囲】
【請求項１】
所定サイトへのアクセスを行うためのアドレス、又は／及び所定の情報を読み取るための２次元コードを判子状に形成することで、名刺等のシート体に捺印して２次元コードによる所望の情報を提供することを特徴とする２次元コードを用いた情報提供システム。
【請求項２】
氏名、住所、所属先、電話番号等の情報が記載された名刺等のシート体の空欄部に２次元コードを付し、コードリーダ機能を有する携帯電話等の子機により２次元コードを読み取ることで所定サイトへのアクセスが行われ、名刺上の一次情報、及びその他の事項である二次情報を所定のサイトを介して提供するとともに、該所定のサイトが新たな一次情報、及びその他の事項である二次情報を適時更新することを特徴とする２次元コードを用いた情報提供システム。
【請求項３】
氏名、住所、所属先、電話番号等の情報が記載された名刺等のシート体の空欄部に２次元コードを付し、コードリーダ機能を有する携帯電話等の子機により２次元コードを読み取ることで所定サイトへのアクセス、又は名刺等のシート体の一次情報の符号化を選択することを特徴とする請求項２に記載の２次元コードを用いた情報提供システム。
【発明の詳細な説明】
【技術分野】
【０００１】本発明は、例えば名刺に添付された２次元コード（ＱＲコード）を介して各種情報を提供することのできる２次元コードを用いた情報提供システムに関する。
【背景技術】
【０００２】現状、取引先、商談相手等の名刺は、会社内において、又は社員個々にパーソナルコンピータを用いて、名刺に記載されている勤務先、所属部署、住所、電話番号等をデータベース化することで管理することが一般的である。【０００３】このデータベース化する方法としては、直接キーボードを用いて個々の名刺の記載データを入力する方法や、スキャナを用いて文字を光によって読み取り、文字コードに変換するシステム（通称ＯＣＲシステム）が使用されている。【０００４】また、新しい情報入力手段としてＱＲコードと呼ばれる２次元コードが広く使用されてる。２次元コードとは、従来の１次元コードが横の一方向にしか情報を持たなかったのに対し、横と縦の二方向に情報を持つことで１次元コードの数倍のデータ量を持つことのできるコードであり、コードリーダ機能を持った携帯電話等の子機で、面として２次元コードを読み込んで符号化する。【０００５】そこで、このＱＲコードを名刺に設けるシステム（例えば、特開２００３−１５４７７４号公報）が開発された。このシステムは、先ず符号化する文字情報は、氏名、フリガナ、ローマ字等の氏名会社や自宅等の住所、会社名、役職、電話番号、電子メールアドレス等のいずれかに関する情報で、符号化し縦横に展開して２次元コードを生成することによって入力された情報を、コードリーダ機能の設けられた子機で読み込むことで、データを素早く読み取り、データを出力することで、上記従来の情報入力方法に比して容易に且つ正確に名刺上の文字情報を入力して顧客管理する方法が考えられた。【０００６】また、従来、名刺情報をコード化、又は広告情報をコード化した２次元コードのコードシンボルは印字シールを作成し印字済の名刺上に貼着又は広告の表記されたシート体に貼着して利用していたが、印字シールが剥がれる欠点があり、直接名刺等のシート体に印字する印字装置が提案された（例えば、特開２００７−２６０９６４号公報）。
【発明が解決しようとする課題】
【０００７】しかしながら、上記ＱＲコードを用いた名刺の管理は、単に名刺上に記載された勤務先等の情報の管理であり、名刺をもらった時からある一定の時間が過ぎると、名刺の情報のなかには役職の移動、勤務先の移動等のために陳腐化する情報も多く存在するためにその管理は一定の期間毎に入力し直す必要があり、データベース化の顧客管理の方法としては十分ではなかった。
【０００８】また、久しく会っていない人と会う場合、その人の役職の変更等がある又はなかなか顔を思い出せない人と商談等を行うは、勤務先の受付での対応がスムーズに運ばない場合があり、商談等に支障をきたす場合があった。
【０００９】また、上記従来の２次元コードを使用する名刺は、あくまで名刺上に記載の事項を中心とした情報の符号化であり、その使用目的が限られており、また情報内容にも限界があった。
【００１０】さらに、名刺をもらった相手の最新の情報の入手は困難な場合か多々あり、データベースの情報更新もなかなかスムーズに行えないという恐れがあった。
【００１１】また、名刺等のシート体に２次元コードを添付する場合、印紙シールを使用すると上記のように剥がれる恐れがあり、また直接名刺等のシート体に印刷する場合は、その作成にコストがかかり、名刺の場合その内容に変更が生じるとそのつど２次元コード自体も変更する必要があった。
【００１２】さらに、２次元コードを名刺等のシート体に印刷により印字する場合はその印字する位置が特定され、作成前にそのレイアウトを常に考えなければならず時間的手間がかかる欠点があった。
【００１３】そこで、本発明は上記課題を解決し、名刺等のシート体による顧客管理が容易であり、常に最新の情報を入力でき、しかも２次元コードの名刺等のシート体への添付簡易である２次元コードを用いた情報提供システムを提供することを課題とする。
【課題を解決するための手段】
【００１４】本発明は上記課題を解決するための第１の手段は、請求項１に記載されているように、所定サイトへのアクセスを行うためのアドレス、又は／及び所定の情報を読み取るための２次元コードを判子状に形成することで、名刺等のシート体に捺印して２次元コードによる所望の情報を提供することを特徴としている２次元コードを用いた情報提供システムである。
【００１５】また課題を解決するための第２の手段は、請求項２に記載されているように、氏名、住所、所属先、電話番号等の情報が記載された名刺等のシート体の空欄部に２次元コードを付し、コードリーダ機能を有する携帯電話等の子機により２次元コードを読み取ることで所定サイトへのアクセスが行われ、名刺上の一次情報、及びその他の事項である二次情報を所定のサイトを介して提供するとともに、該所定のサイトが新たな一次情報、及びその他の事項である二次情報を適時更新することを特徴としている２次元コードを用いた情報提供システムである。
【００１６】また課題を解決するための第３の手段は、請求項３に記載されているように、氏名、住所、所属先、電話番号等の情報が記載された名刺等のシート体の空欄部に２次元コードを付し、コードリーダ機能を有する携帯電話等の子機により２次元コードを読み取ることで所定サイトへのアクセス、又は名刺等のシート体の一次情報の符号化を選択することを特徴としている請求項２に記載の２次元コードを用いた情報提供システムである。
【発明の作用】
【００１７】本発明は、２次元コードを用いた情報提供システムであり、名刺等のシート体に使用する作用について以下に説明する。
【００１８】先ず、所定サイトへのアクセスするアドレスの情報、    又は／及び所定の情報をコード化した２次元コードを判子状に形成することで、名刺等のシート体の空欄部に捺印することで付記して準備する。
【００１９】この状態で、名刺の場合は商談等でこの名刺を配付することで、通常の名刺交換と同様に名刺に表記してある所属先等の情報を相手に表示し、またシート体としての例えばチラシ、封筒の場合は第三者に配付することで広告やその他の情報を相手に表示する。。
【００２０】次に、名刺を受け取った相手は、２次元コードをコードリーダ機能を有する携帯電話等の子機により面として読み取ることで、２次元コードにコード化されたアドレスを介して所定サイトへの直接アクセスされることとなり、サイト上の相手の情報を得ることができる。
【００２１】また、２次元コードをコードリーダ機能を有する携帯電話等の子機により面として読み取ることで、２次元コードにコード化された所定の情報を読み取り、パーソナルコンピータ等データベース化に直接入力して顧客管理を行うことができる。
【００２２】また、名刺を受け取った相手は、名刺上に表示できてないその他の情報も上記所定のサイトを介して見ることができ、相手の理解に役立てることができる。
【００２３】また、第三者に配付されたシート体としての例えばチラシ、封筒の２次元コードをコードリーダ機能を有する携帯電話等の子機により面として読み取ることで、２次元コードにコード化されたアドレスを介して所定サイトへの直接アクセスされることとなり、サイト上でさらに詳細な広告表示及び会社概要等を表示して第三者に発信することができる。
【００２４】そして、名刺を渡した方は、適時所定サイトを更新して新たな情報及び近影の映像等を入力しておくことで、名刺を渡した相手に常に新しい情報を提供することができ、新たな営業活動を行うことができる。
【００２５】また、名刺等のシート体に捺印した２次元コードを読み取ることで所定サイトへのアクセスできる符号と、名刺上又はシート体上の一次情報の符号化を選択することで、例えば、データベース化して顧客管理を行う場合は、名刺等のシート体の一次情報の符号化を選択して、２次元コードより直接情報を取り出してデータベース化へ入力及び登録して顧客管理を行うことができ、また、すでにデータベース化した内容に付加する事項（名刺等のシート体に記載されていない事項等）又は最新情報等の二次情報を入力する場合は、２次元コードを読み取ることで所定サイトへのアクセスできる符号を読み取り、所定サイトへの直接アクセスしてサイト上で名刺等のシート体の所属先等の情報を取り出しデータベース化へ入力及び登録して顧客管理を行うことができる。
【発明の効果】
【００２６】このように、本発明の２次元コードを用いた情報提供システムは、従来にない名刺等のシート体を介した新たな情報提供が可能となる利点を得ることができ、データベース化する場合の管理がスムーズに行える。
【００２７】また、常に最新の情報を名刺等のシート体を介して得ることができるので、情報の管理が容易であり、しかも久しぶりの相手に商談等で会う場合でも、相手の最新の情報を名刺等のシート体を介して予め得ることができるので、無駄な手間を省くことができる。
【００２８】その操作も２次元コードを読み取ることにより、スムーズに行え、操作を容易に行うことができる。
【００２９】また、名刺等のシート体を渡す方も所定サイトへアクセスし、所定の期間毎に最新の情報に変更することにより、常に名刺等のシート体を渡した相手に最新の情報を提示することができる。
【００３０】さらに、２次元コードが判子状に形成されているために、２次元コードの添付が捺印するだけで可能であり、その取扱が容易であらゆるシート体に添付することができる。
【００３１】また、２次元コードを読み取ることで所定サイトへのアクセスすることで、サイト上を変更するだけで１つの２次元コードの多様な利用が可能であり、判状に形成する利点がある。
【００３２】また、２次元コードの添付に費用がかからず費用の面でも従来にない利点を得た。
【図面の簡単な説明】
【図１】本発明の２次元コードを用いた情報提供システムを示すフローチャート
【図２】本発明の２次元コードを用いた名刺による情報提供システムを示すフローチャート
【図３】２次元コードの作成及び名刺の作成を示すフローチャート
【図４】２次元コードの設けられた名刺を示す図
【図５】２次元コードを用いた情報提供システムの他実施例を示すフローチャート
【図６】２次元コードを用いた情報提供システムの他実施例を示すフローチャート
【発明の好ましい実施の形態】
【第１の実施例】
【００３３】次に、本発明の２次元コードによる情報提供システムの実施の一形態について図面にそって説明する。
【００３４】本発明のシート体としての名刺１は、図４に示すように通常のシート状に形成され、勤務先Ａ、所属部署Ｂ、役職Ｃ、氏名Ｄ、住所電話番号Ｅ等が表記されており、その空白箇所の一部にＱＲコードと呼ばれる２次元コード２が添付されている。
【００３５】２次元コード２は、所定サイトのアドレス等を符号化して作成した後、該符号を判子状に形成する。これにより、シート体としての名刺１を作成した後に、後から捺印して名刺１に添付することができ、名刺１上のバランスを考えた空欄又は裏面であっても自在に添付できる。
【００３６】また、所定サイトの内容は更新が可能であるために、同一の２次元コード２の使用する人の変更があっても無駄なく使用することができる。
【００３７】所定のサイトには個人情報として開示できる範囲の勤務先Ａ等の情報のデータベースが保存され、アドレスへのアクセスによって情報のデータベースが開示される。尚、保存されているデータベースの情報は所有者の登録番号等により自在に更新することができる。
【００３８】所定サイトには、名刺１に記載されている情報勤務先Ａ、所属部署Ｂ、役職Ｃ、氏名Ｄ、住所電話番号等Ｅが記載されている一次情報と、名刺１に記載されていないその他（例えば、趣味、勤務先の経歴等）の二次情報とを入力する。
【００３９】次に、本発明の２次元コード２による情報提供システムを用いて名刺１による顧客管理を行う場合について図２に沿って説明する。
【００４０】先ず、本発明の２次元コード２を用いた名刺１を顧客と名刺交換すると、交換した顧客は、２次元コード２を使用したデータベースへの入力を行う場合は、コードリーダ機能を有する携帯電話等（ＰＨＳ、ＰＤＡ等野情報表示用のスクリーンとデータ通信機能を有する携帯通信端末、パーソナルコンピーター等である。）の子機により名刺の２次元コード２を読み取り（キャプチャ）して所定のサイトにアクセスし、該サイトより一次情報を入力することで、名刺１上に記載されている現状の勤務先Ａ、所属部署Ｂ役職Ｃ、氏名Ｄ、住所電話番号Ｅ等を取り出しデータベースへ入力・登録することで、スムーズに情報を入手することができる。
【００４１】このように、本発明の２次元コード２をによる情報提供システムを用いると名刺１による顧客管理を従来に比し容易に行うことができる。
【００４２】次に、顧客管理を最新の情報で書き換える場合は、図５に示すように、再度コードリーダ機能を有する携帯電話等の子機により、名刺１の２次元コード２を読み取りして、所定のサイトにアクセスし、該サイトより最新の一次情報を取り出すことで、名刺１上に記載されている現状の勤務先Ａ、所属部署Ｂ、役職Ｃ、氏名Ｄ、住所電話番号等Ｅとの相違点を確認して、相違点があればその相違点のみを書換えすることで最新の情報をデータベースへ入力し登録することができることとなる。
【００４３】このように、本発明の２次元コード２による情報提供システムは、名刺１上の情報の入手及びデータベース化が容易であり、また最新の情報への更新も容易である。
【００４４】しかも、２次元コード２を名刺１上に添付する場合も、２次元コード２が判子状に形成されているために、従来の名刺１にあとから添付することができ、例えば、名刺１を交換する顧客に応じて２次元コード２の添付を行うことも可能であり、名刺１のさらに有効に利用することができる。
【００４５】また、２次元コード２が判子状であるために、複数の２次元コード２（例えば、１つの２次元コード２は名刺１上に記載されている勤務先Ａ、所属部署Ｂ、役職Ｃ、氏名Ｄ、住所電話番号等Ｅのみの情報を開示し、他の２次元コード２は名刺１上に記載されていない情報を開示するようにする）を使い分けして使用することで、複数の名刺１を維持しているのと同様の効果を得ることも可能である。
【第２の実施例】
【００４６】次に、本発明の２次元コードによる情報提供システムの第２の実施の形態について図面にそって説明する。
【００４７】本発明の２次元コードを用いた名刺１は、上記第１の実施例の場合と同様に、通常のシート状に形成され、勤務先Ａ等が表記されており、その空白箇所の一部にＱＲコードと呼ばれる２次元コード２が添付されている。
【００４８】２次元コード２には所定サイトのアドレス情報等の情報が符号化されるとともに、名刺へ記載されている勤務先Ａ、所属部署Ｂ、役職Ｃ、氏名Ｄ、住所電話番号Ｅ等が記載されている一次情報を符号化されている。
【００４９】一次情報を符号化は、名刺へ記載されている勤務先Ａ、所属部署Ｂ役職Ｃ、氏名Ｄ、住所電話番号Ｅ等を文字情報として印字するとともに、その名刺情報を２次元コード情報に変換したコードシンボルを印字して作成する。
【００５０】尚、２次元コード２は、上記第１の実施例の場合と同様に２次元コード２は、所定サイトのアドレス等を符号化して作成し、且つ文字情報として印字した後、各符号を判子状に形成することで作成する。
【００５１】次に、本発明の２次元コード２による情報提供システムを用いて名刺１による顧客管理を行う場合について図６に沿って説明する。
【００５１】先ず、本発明の２次元コード２を用いた名刺１を顧客と名刺交換した顧客は、コードリーダ機能を有する携帯電話等の子機により名刺の２次元コード２を読み取り（キャプチャ）し、名刺１上に記載されている現状の勤務先Ａ、所属部署Ｂ役職Ｃ、氏名Ｄ、住所電話番号Ｅ等を取り出し、データベースへ入力し登録する場合は、一次情報が符号化されているいる方を選択し、一次情報を取り出すことで、名刺１上に記載されている現状の勤務先Ａ、所属部署Ｂ役職Ｃ、氏名Ｄ、住所電話番号Ｅ等を取り出し、データベースへ入力し登録することができる。
【００５２】また、名刺１上に記載の情報以外の情報、又は最新の情報を得る場合はアドレス情報等の情報が符号化されているいる方を選択し、所定のサイトにアクセスし、該サイトより二次情報を取り出すことで、名刺１上に記載されている情報以外の情報を得てデータベース内容を追加することができ、又は名刺上の事項に関する最新の情報を得て相違点のみを書換えすることで最新の情報をデータベースへ入力し登録することができる。
【００５３】また、所定のサイトには最新の情報として動画、又は写真で近影を入力することで、相手に対してイメージを高めることも可能である。
【００５４】また、上記各実施例ではシート体として名刺１を用いたが、本発明においてシート体は名刺１に限定されるものでなく、例えば、会社で使用する封筒や、連絡用紙を使用することも可能である。特に、広告用のパンフレットやチラシを使用する場合は、複数の２次元コード２を使い分けることで、従来にない高い広告効果を得ることが可能となる。
【符号の説明】
１：名刺
２：２次元コード
【図１】
2010027008.tif 000003
【図２】
2010027008.tif 000004
【図３】
2010027008.tif 000005
【図４】
2010027008.tif 000006
【図５】
2010027008.tif 000007
【図６】
2010027008.tif 000008